(57)【要約】  【課題】展示空間を閉止した状態において、展示床面に目地が一切表出しない展示ケースを提供する。  【解決手段】展示床面部２２を、床材本体２２１と、床材本体２２１の少なくとも上向面を被覆し、且つケース体３を開放姿勢（Ｂ）にした際に、昇降桿４１の作動領域４１Ｓから退避するように変形するとともに、昇降桿４１を基台２の内部空間に没入してケース体３を閉止姿勢（Ａ）にした場合に、復元して昇降桿４１の作動領域４１Ｓを上方から被覆する被覆部材２２２とから構成した。【選択図】図４
2008206545.tif 000002
【特許請求の範囲】
【請求項１】
展示床面部を有する基台と、
当該基台の上方に設定した展示空間を包囲する位置に配置され且つ外部から展示空間内を視認可能なケース体と、
当該ケース体を作動体によって支持した状態で持ち上げることにより、前記ケース体を前記展示床面部にアクセス不能な閉止姿勢から前記展示床面部にアクセス可能な開放姿勢へ姿勢変更させる開閉機構とを備えた展示ケースであって、
前記展示床面部が、
床材本体と、
当該床材本体の少なくとも上向面を被覆し、且つ前記ケース体を前記開放姿勢にした際に、前記作動体の作動領域から退避するように変形するとともに、前記作動体を基台の内部空間に没入させて前記ケース体を前記閉止姿勢にした際に、復元して前記作動体の作動領域を上方から被覆する被覆部材とを備えたものであることを特徴とする展示ケース。
【請求項２】
前記被覆部材が、前記ケース体を前記閉止姿勢から前記開放姿勢へ姿勢変更する際に前記作動体の上端部に直接又は間接的に押圧されることによって変形するものである請求項１記載の展示ケース。
【請求項３】
前記展示床面部が、前記被覆部材のうち、前記ケース体を前記閉止姿勢にした際に前記作動体の作動領域を上方から被覆する部位に設けた被覆部材側マグネットを備えたものであり、
前記作動体が、前記被覆部材側マグネットと直接又は間接的に磁着可能な作動体側マグネットを備えたものであり、
前記ケース体を閉止姿勢にした際に、被覆部材側マグネットと作動体側マグネットとを磁着させるとともに、前記ケース体を閉止姿勢から開放姿勢へ姿勢変更した際に、前記磁着状態を解除可能にしている請求項１又は２記載の展示ケース。
【請求項４】
前記被覆部材が平面視略多角形状をなすものであり、前記作動体の作動領域を前記被覆部材のコーナー部にのみ設定している請求項１、２又は３記載の展示ケース。
【請求項５】
前記作動体が、前記ケース体に設けた被支持体を支持した状態で昇降可能な昇降桿であり、
当該昇降桿の略鉛直方向に沿った昇降移動に伴って前記被覆部材を変形及び復元させるようにしている請求項１、２、３又は４記載の展示ケース。
【請求項６】
前記展示床面部が、少なくともそれぞれ種類の異なる複数の前記被覆部材を揃えてなり、これら被覆部材を取替可能にしている請求項１、２、３、４又は５記載の展示ケース。
【請求項７】
前記被覆部材が、可撓性のある素材からなる板状の芯材と、当該芯材の少なくとも上向面を被覆するクロス材とを備えたものである請求項１、２、３、４、５又は６記載の展示ケース。
【発明の詳細な説明】
【技術分野】
【０００１】
本発明は、美術館や博物館等で使用される展示ケースに関するものである。
【背景技術】
【０００２】
従来より、上向面が展示床面としての役割を担う上板を有する基台と、展示床面上に設定した展示空間を包囲する位置に配置されるガラス製のケース体と、ケース体を基台に対して昇降させることによって展示空間を選択的に開閉し得る開閉機構とを備えた展示ケースが知られている。
【０００３】
一例として、図９（同図（ａ）は、従来の展示ケースＡ１の平面を模式的に示す図であり、（ｂ）は（ａ）のＹ―Ｙ線断面を模式的に示す図であり、（ｃ）はケース体Ａ３を上昇させた状態を（ｂ）に対応して示す図である）に示すように、ケース体Ａ３の下端部に周回するフレーム体Ａ３１を取り付け、このフレーム体Ａ３１の内側四隅に設けた被支持体Ａ３２を支持した状態で昇降可能な複数の昇降桿Ａ４１によって、ケース体Ａ３を基台Ａ２に対してリフトアップする態様が挙げられる。そして、前記上板Ａ２１の四隅にそれぞれ被支持体Ａ３２が収まる切欠Ａ２１ａを形成し、展示空間Ａ１Ｓを閉止した状態において、昇降桿Ａ４１に支持される被支持体Ａ３２のうち、その上向面が、上板Ａ２１の上向面と共に略面一な展示床面Ａ２２を構成するようにしている（例えば特許文献１参照）。
【特許文献１】特開２００２―０１７５２１号公報
【発明の開示】
【発明が解決しようとする課題】
【０００４】
しかしながら、従来のものは、上板Ａ２１の四隅に切欠Ａ２１ａを形成しているため、展示空間Ａ１Ｓを閉止した状態において、上板Ａ２１の上向面と被支持体Ａ３２の上向面とによって構成した展示床面Ａ２２のうち、四隅において上板Ａ２１と被支持体Ａ３２との境界（上板Ａ２１の切欠Ａ２１ａ）が目地として表出し（図９（ａ）参照）、意匠的に好ましくないという問題があった。そこで、展示床面Ａ２２の四隅にのみ目地が表出することを回避すべく、上板Ａ２１の上向面に、切欠Ａ２１ａに連続する浅いスリットＡ２１ｂを辺部分に沿って形成し、展示床面Ａ２２の辺に沿って連続する目地を意図的に形成する態様も採用されているが、展示床面Ａ２２に目地が表出するという根本的な問題の解消には至っていなかった。
【０００５】
本発明は、このような課題に着目してなされたものであって、主たる目的は、展示空間を選択的に開閉可能な展示ケースでありながら、展示空間を閉止した状態において、展示床面に目地が一切表出せず、展示物を好適に展示できるものを提供することにある。
【課題を解決するための手段】
【０００６】
すなわち、本発明の展示ケースは、展示床面部を有する基台と、当該基台の上方に設定した展示空間を包囲する位置に配置され且つ外部から展示空間内を視認可能なケース体と、当該ケース体を作動体によって支持した状態で持ち上げることにより、前記ケース体を前記展示床面部にアクセス不能な閉止姿勢から前記展示床面部にアクセス可能な開放姿勢へ姿勢変更させる開閉機構とを備えたものであって、前記展示床面部が、床材本体と、当該床材本体の少なくとも上向面を被覆し、且つ前記ケース体を前記開放姿勢にした際に、前記作動体の作動領域から退避するように変形するとともに、前記作動体を基台の内部空間に没入させて前記ケース体を前記閉止姿勢にした際に、復元して前記作動体の作動領域を上方から被覆する被覆部材とを備えたものであることを特徴とする。
【０００７】
このようなものであれば、ケース体が閉止姿勢にある場合、床材本体の上向面を被覆する被覆部材によって、作動体の作動領域、換言すれば作動体の軌道をも上方から被覆するため、被覆部材に、作動体の作動を確保するための切欠やスリットを形成する必要がなく、展示床面部の上向面である被覆部材の上向面、すなわち展示床面に切欠やスリットによる目地が一切現れず、展示床面に展示する物品の周囲近傍に展示の妨げとなるものが現れるという従来の問題を解消することができる。しかも、ケース体を閉止姿勢から開放姿勢に姿勢変更する場合には、被覆部材が変形して作動体の作動領域（軌道）から退避するため、作動体の作動に何ら支障を来すことなく、ケース体の閉止姿勢と開放姿勢との切替を好適に行うことができる。
【０００８】
特に、前記被覆部材が、前記ケース体を前記閉止姿勢から前記開放姿勢へ姿勢変更する際に前記作動体の上端部に直接又は間接的に押圧されることによって変形するものであれば、被覆部材を変形させるための専用の機構を設ける必要がなく、部品点数の削減、構造の簡略化を図ることができる。また、被覆部材の変形を作動体の作動に関連付けることにより、作動体の作動とは無関係に被覆部材が不意に変形することを回避することができる。
【０００９】
さらに、前記展示床面部が、前記被覆部材のうち、前記ケース体を前記閉止姿勢にした際に前記作動体の作動領域を上方から被覆する部位に設けた被覆部材側マグネットを備えたものであり、前記作動体が、前記被覆部材側マグネットと直接又は間接的に磁着可能な作動体側マグネットを備えたものであり、前記ケース体を閉止姿勢にした際に、被覆部材側マグネットと作動体側マグネットとを磁着させるとともに、前記ケース体を閉止姿勢から開放姿勢へ姿勢変更した際に、前記磁着状態を解除可能にしていれば、ケース体が閉止姿勢にある場合、被覆部材側マグネットと作動体側マグネットとの磁着により、被覆部材による作動体の適切な被覆状態を維持することができるのみならず、たとえケース体の姿勢変更を繰り返すうちに被覆部材に変形ぐせが付いたとしても、マグネット同士の磁着により、やはり被覆部材による作動体の適切な被覆状態を維持することができる。
【００１０】
被覆部材に占める変形領域を最小限に抑えるには、前記被覆部材を平面視略多角形状のものとし、前記作動体の作動領域を前記被覆部材のコーナー部にのみ設定すればよい。
【００１１】
前記作動体が、前記ケース体に設けた被支持体を支持した状態で昇降可能な昇降桿であり、当該昇降桿の略鉛直方向に沿った昇降移動に伴って前記被覆部材を変形及び復元させるようにしていれば、昇降桿の鉛直方向に沿った単純な直線移動によってケース体を昇降移動させて閉止姿勢と開放姿勢との間で姿勢変更することができるとともに、作動体の作動領域（軌道）が、展示空間の中心に向かって延伸する曲線的なものである場合と比較して、被覆部材の変形部分における反り角度を可及的に小さく抑えることができる。
【００１２】
また、照明の有無等、種々の展示態様に応じて展示床面の仕様を変更可能とするには、前記展示床面部が、少なくともそれぞれ種類の異なる複数の前記被覆部材を揃えてなり、これら被覆部材を取替可能とすることが望ましい。
【００１３】
被覆部材の具体的な実施態様としては、可撓性のある素材からなる板状の芯材と、当該芯材の少なくとも上向面を被覆するクロス材とを備えた態様が挙げられる。このようなものであれば、芯材が曲線的に曲がり、クロス材の表面に折り目が付き難く、好適である。
【発明の効果】
【００１４】
以上説明したように本発明によれば、展示空間を選択的に開閉可能な展示ケースでありながら、展示空間を閉止した状態において、展示床面に目地が一切表出せず、意匠的に極めて優れた展示床面を形成することができる。
【発明を実施するための最良の形態】
【００１５】
以下、本発明の一実施形態を、図面を参照して説明する。
【００１６】
本実施形態に係る展示ケース１は、図１〜図６に示すように、例えば美術館等において単独で島型に配置して使用されるものであり、床上に配置される基台２と、展示品が収容される展示空間１Ｓを覆う位置に配置されるケース体３と、展示品の展示替えなどの際にケース体３を基台２に対して昇降させて展示空間１Ｓを開閉させる開閉機構４を備えたものである。
【００１７】
基台２は、板状をなす４枚の化粧パネル２１と、展示床面部２２とを備えたものである。また、何れかの化粧パネル２１の内面側に開閉機構４や図示しない調節機構を操作するための操作部２１ａを配置して、その化粧パネル２１を開けると操作部２１ａが表出するようにしている。
【００１８】
展示床面部２２は、図３及び図４等に示すように、床材本体２２１と、床材本体２２１の少なくとも上向面を被覆する被覆部材２２２とを備えてなる。
【００１９】
床材本体２２１は、平面視略正方形の各コーナー部を切り欠いた形状をなす本体部２２１Ａと、本体部２２１Ａの上面側における周縁部に積層した本体補強部２２１Ｂとを備えたものである（図４参照）。本実施形態では、本体部２２１Ａとして合板を適用するとともに、本体補強部２２１Ｂとして平面視略ロ字形状のスチール板を適用している。なお、本体部２２１Ａの上向面と本体補強部２２１Ｂの上向面とが略同一となるように、本体部２２１Ａの上面側における周縁部に段部２２１Ａａを形成している（図４参照）。また、本体部２２１Ａと本体補強部２２１Ｂとの間にパッキング２２１Ｃを介在させている。
【００２０】
被覆部材２２２は、可撓性のある素材からなる板状の芯材２２２Ａと、芯材２２２Ａの少なくとも上向面全体を被覆するクロス材２２２Ｂとを備えたものである。
【００２１】
芯材２２２Ａは、平面視略正方形状をなし、床材本体２２１よりも大きな平面積を有するものである。本実施形態では、芯材２２２Ａとして、弾性変形し易く、復元性にも優れた素材、例えばポリカーボネートからなる板状の部材を適用している。
【００２２】
クロス材２２２Ｂは、芯材２２２Ａの上向面全体を被覆するとともに、周縁部を芯材２２２Ａの下向面側に巻き込んだ状態で固定したものである。本実施形態では、クロス材２２２Ｂの縁部を床材本体２２１の本体部２２１Ａと本体補強部２２１Ｂとの間に挟んだ状態で接着剤等を用いて固定している。
【００２３】
また、展示床面部２２は、被覆部材２２２のコーナー部２２２Ｃにマグネット２２３（以下、このマグネットを「被覆部材側マグネット２２３」と称す）を設けている。本実施形態では、被覆部材２２２の各コーナー部２２２Ｃにおける下向面に板状の被覆部材側マグネット２２３を接着剤等を用いて固定している。
【００２４】
なお、展示床面部２２は、床材本体２２１の下方に配された補強フレーム２２４に固定した図示しない載置台に略水平な姿勢で載置している。
【００２５】
ケース体３は、開閉機構４の作用によって、展示床面部２２にアクセス不能な閉止姿勢（Ａ）と、展示床面部２２にアクセス可能な開放姿勢（Ｂ）との間で姿勢変更なものである。このケース体３は、前記化粧パネル２１と略面一をなす４枚の側面ガラス３１と、側面ガラス３１の上端部間に設けた単一の上面ガラス３２とを備えたものである。また、各側面ガラス３１の下端部における内面側には平面視略ロ字形状をなすフレーム体３３を取り付けてガラスを主体とするケース体３の補強を図っている。このフレーム体３３の内側四隅には、後述する開閉機構４の昇降桿４１に支持される被支持体３４を設けている。各被支持体３４は、板状をなし、ケース体３を閉止姿勢（Ａ）にした場合に、被覆部材２２２の下向面側に位置付けられる（図４参照）。なお、側面ガラス３１とフレーム体３３との間にはパッキング３５を介在させている。さらに、本実施形態では、フレーム体３３の下向面に、シール部材として機能する弾性体３６を設け、ケース体３を閉止姿勢（Ａ）にした場合に展示空間１Ｓが密閉状態となるようにしている。
【００２６】
一方、開閉機構４は、前記被支持体３４を支持した状態で昇降可能な複数の昇降桿４１（本発明の「作動体」に相当）と、これら複数の昇降桿４１を昇降可能に駆動する図示しない駆動部とを備えたものである。
【００２７】
各昇降桿４１は、昇降桿本体４１１と、昇降桿本体４１１と被支持体３４とを連結するための連結部４１２とを備えている。
【００２８】
昇降桿本体４１１は、概略円柱状をなし、上端部に下方に向かって延伸するネジ孔４１１ａを形成したものである。
【００２９】
連結部４１２は、被支持体３４に形成したボルト挿入孔３４ａから挿入し且つ昇降桿本体４１１のネジ孔４１１ａに螺着したボルトからなるものである。
【００３０】
また、開閉機構４は、昇降桿４１の昇降移動をガイドする昇降桿ガイド４２を、各昇降桿４１に関連付けて設けている。昇降桿ガイド４２は、昇降桿本体４１１が挿入可能な昇降桿本体挿入孔４２ａを有するものであり、本実施形態では、昇降桿ガイド４２の上向面側に配したカバー部材４３をビス４４を用いて前記基台２の補強フレーム２２４に固定することにより、昇降桿ガイド４２を移動不能に固定している。
【００３１】
また、各昇降桿４１の上端部に、前記被覆部材側マグネット２２３と磁着可能な昇降桿側マグネット４５（本発明の「作動体側マグネット」に相当）を設けている。本実施形態では、連結部４１２の上向面に板状の昇降桿側マグネット４５を接着剤等を用いて固定している。
【００３２】
このような構成を有する各昇降桿４１は、駆動部によって同期して略直線状に昇降移動する。そして、これら各昇降桿４１を昇降移動させるにより、ケース体３が閉止姿勢（Ａ）と開放姿勢（Ｂ）との間で昇降移動する。各昇降桿４１は略鉛直方向に沿って昇降移動するものであり、図４に一点鎖線で示す領域が、昇降桿４１の作動領域４１Ｓとなる。本実施形態では、昇降桿４１の作動領域４１Ｓを、展示床面２２の各コーナー部、より具体的には被覆部材２２２の各コーナー部材２２２Ｃに設定している。
【００３３】
次に、展示ケース１の使用方法及び作用について説明する。
【００３４】
先ず、ケース体３が閉止姿勢（Ａ）にある場合、図４に示すように、展示床面部２２の床材本体２２１が、各コーナー部において、その周縁部とケース体３の側面ガラス３１との間に、昇降桿４１との干渉を回避する干渉回避空間２２１Ｓを形成し、この干渉回避空間２２１Ｓに昇降桿４１を収容することにより、昇降桿４１全体を展示空間１Ｓ外に位置付けている。そして、被覆部材２２２によってこの干渉回避空間２２１Ｓを上方から被覆し、展示床面部２２の上向面（被覆部材２２２の上向面）、すなわち展示床面は、目地の無い略水平な面となり、ケース体３の各側面ガラス３１の内向面によって包囲される平面を略隙間無く被覆する。この状態において、被覆部材２２２のコーナー部２２２Ｃと昇降桿４１とが、被覆部材側マグネット２２３と昇降桿側マグネット４５との磁着により相互に引き付け合っている。
【００３５】
そして、展示品を入れ替えるためにケース体３を閉止姿勢（Ａ）から開放姿勢（Ｂ）に姿勢変更する作業は、所定の化粧パネル２１を開けて操作部２１ａを表出させ、例えば操作部２１ａに設けた「ＵＰ」スイッチ等を押すことによって行う。この操作により、開閉機構４の駆動部が駆動し、図５及び図６に示すように各昇降桿４１がケース体３の被支持体３４を支持した状態で同期して上昇し、ケース体３も上昇する。各昇降桿４１は、作動領域４１Ｓ内で上昇しながら展示空間１Ｓ内に露出する。そして、これら各昇降桿４１の上昇に伴って、昇降桿４１の作動領域４１Ｓに位置する被覆部材２２２のコーナー部２２２Ｃが昇降桿４１の上端部に直接押し上げられて弾性変形し、昇降桿４１がある程度上昇した時点で被覆部材側マグネット２２３と昇降桿側マグネット４５との磁着状態が解除される。さらに昇降桿４１を上昇させることによって、展示床面部２２とケース体３の下端部との間が広く開放され、そこを通じて展示品の入れ替えを行うことができる。また、昇降桿４１は展示床面部２２のコーナー部（被覆部材２２２のコーナー部２２２Ｃ）から上方に突出することになり、隣接する昇降桿４１同士の間は広く開放され、四方から展示床面部２２にアクセスすることができる。
【００３６】
一方、展示品の入替終了後にケース体３を開放姿勢（Ｂ）から閉止姿勢（Ａ）に姿勢変更する操作は、操作部２１ａに設けた例えば「ＤＯＷＮ」スイッチ等を押すことによって行う。この操作により、開閉機構４の駆動部が駆動し、各昇降桿４１がケース体３の被支持体３４を支持した状態で同期して下降することによってケース体３も下降する。これら各昇降桿４１の下降に伴い、弾性変形していた被覆部材２２２のコーナー部２２２Ｃが復元し、作動領域４１Ｓを含む干渉回避空間２２１Ｓが被覆部材２２２によって上方から被覆され、展示床面部２２の上向面（被覆部材２２２の上向面）、すなわち展示床面は、ケース体３の各側面ガラス３１の内向面によって包囲される平面を略隙間無く被覆した状態で目地の無い略水平な面となる。
【００３７】
このように、本実施形態に係る展示ケース１は、展示床面部２２を、床材本体２２１と、ケース体３が開放姿勢（Ｂ）にある場合に、展示空間１Ｓ内に出現する昇降桿４１の作動領域４１Ｓから退避するように変形する被覆部材２２２とを主体として構成し、ケース体３の開放姿勢（Ｂ）から閉止姿勢（Ａ）に姿勢変更に伴って基台２の内部空間に没入する昇降体４１の動作に従動して被覆部材２２２が復元し、この被覆部材２２２によって昇降桿４１の作動領域４１Ｓを上方から被覆するようにしているため、展示床面部２２の上向面である被覆部材２２２の上向面、すなわち展示床面に切欠やスリットによる目地が一切現れず、展示床面に展示する物品の周囲近傍に展示の妨げとなるものが現れるという事態を防止することができる。しかも、ケース体３を閉止姿勢（Ａ）から開放姿勢（Ｂ）に姿勢変更する場合には、被覆部材２２２が変形して昇降桿４１の作動領域４１Ｓから退避するため、昇降桿４１の昇降移動に何ら支障を来すことなく、ケース体３の閉止姿勢（Ａ）と開放姿勢（Ｂ）との切替を好適に行うことができる。
【００３８】
特に、被覆部材２２２が、ケース体３を閉止姿勢（Ａ）から開放姿勢（Ｂ）へ姿勢変更する際に昇降桿４１の上端部に直接押圧されることによって変形するものであるため、被覆部材２２２を変形させるための専用の機構を設ける必要がなく、部品点数の削減、構造の簡略化を図ることができる。また、被覆部材２２２の変形を昇降桿４１の昇降動作に従動させることにより、ケース体３が閉止姿勢（Ａ）にある場合に、被覆部材２２２が昇降桿４１の昇降動作とは無関係に不意に変形することを回避することができる。
【００３９】
さらに、被覆部材２２２のうち、ケース体３を閉止姿勢（Ａ）にした際に昇降桿４１の作動領域４１Ｓを上方から被覆する部位に被覆部材側マグネット２２３を設ける一方、昇降桿４１に、被覆部材側マグネット２２３と直接磁着し得る昇降桿側マグネット４５を設け、ケース体３を閉止姿勢（Ａ）にした際に、被覆部材側マグネット２２３と昇降桿側マグネット４５とを磁着させるとともに、ケース体３の閉止姿勢（Ａ）から開放姿勢（Ｂ）への姿勢変更に伴って磁着状態を解除可能にしているため、ケース体が閉止姿勢（Ａ）にある場合、被覆部材側マグネット２２３と昇降桿側マグネット４５との磁着により、被覆部材２２２をフラットな状態に維持することができるのみならず、ケース体３の姿勢変更を繰り返すうちに被覆部材２２２に変形ぐせが付いたとしても、マグネット同士（被覆部材側マグネット２２３、昇降桿側マグネット４５）の磁着により、被覆部材２２２をフラットな状態に維持することができる。
【００４０】
また、昇降桿４１の作動領域４１Ｓを展示床面部２２の各コーナー部、すなわち被覆部材２２２の各コーナー部２２２Ｃにのみ設定しているため、被覆部材２２２全体に占める変形領域を最小限に抑えることができるとともに、ケース体３を開放姿勢（Ｂ）にした場合に、ケース体２の下端部と展示床面部２２との間に形成される展示床面部２２にアクセス可能な間口が広く形成され、展示品の入替作業をよりスムーズに行うことができる。
【００４１】
さらに、被覆部材２２２が、可撓性のある素材からなる板状の芯材２２２Ａと、芯材２２２Ａの少なくとも上向面を被覆するクロス材２２２Ｂとを備えたものであるため、芯材２２２Ａを曲線的に撓ませる曲がるため、クロス材２２２Ｂに折り目が付き難く、展示床面の意匠性向上に大いに資する。
【００４２】
加えて、図７及び図８に示すように、展示態様に応じて展示床面上に小型の照明灯５を突出させた状態で配置可能にしたい場合には、上述した被覆部材２２２に替えて、照明灯５が挿入可能な照明灯用挿入孔Ｘ２２２ａを所定の箇所に形成した被覆部材Ｘ２２２を備えた展示床面部Ｘ２２を適用することができる。本実施形態では、被覆部材Ｘ２２２の各コーナー部Ｘ２２２Ｃ（クロス部材Ｘ２２２Ｂの各コーナー部）に、厚み方向に貫通する照明用挿入孔Ｘ２２２ａを形成している。本実施形態では、上述したように床材本体及び被覆部材を前記補強フレームに固定した図示しない載置台に略水平な姿勢で載置しているため、展示床面部のうち床材本体と被覆部材とをセットにした状態で取替可能にしている。なお、展示床面部のうち被覆部材のみを取替可能、又は展示床面部全体ごと取替可能にしても構わない。
【００４３】
このように、それぞれ種類の異なる複数の被覆部材２２２、Ｘ２２２を揃えてなり、展示態様に応じて被覆部材２２２、Ｘ２２２を取替可能にすることにより、照明の有無等、種々の展示態様にも柔軟に対応することができる。
【００４４】
なお、本発明は、以上に詳述した実施形態に限られるものではない。
【００４５】
例えば、前記実施形態では、開閉機構の作動体として、昇降桿を例示したが、これに限らず、作動体として、パンタグラフ方式で作動可能なリンク機構や、ガススプリングを適用しても構わない。また、作動体の作動領域を、被覆部材のコーナー部以外の部位、例えば被覆部材の辺部分のおける所定箇所又は辺部分全体に設定してもよい。この場合、被覆部材のうち、作動領域に相当する部分が変形することになる。
【００４６】
また、開閉機構は、ケース体を作動体によって支持した状態で持ち上げることにより、ケース体を展示床面部にアクセス不能な閉止姿勢から展示床面部にアクセス可能な開放姿勢へ姿勢変更させるものであればよく、前記実施形態で示すようなケース体全体を基台に対して平行に持ち上げる態様の他、ケース体の一部を基台に対して持ち上げることによりケース体を閉止姿勢から開放姿勢へ姿勢変更させるものであってもよい。また、開閉機構の作動体は、電動で作動する態様の他、手動で作動するものであっても勿論構わない。
【００４７】
また、被覆部材が、弾性変形するものではなく、看者が視認できない程度の境界を介して相対的に回動可能なヒンジ機構を利用して変形するものであっても構わない。さらには、被覆部材が、ケース体を閉止姿勢から開放姿勢へ姿勢変更する際に作動体の上端部に間接的に押圧されることによって変形するものであってもよく、或いは専用の機構によって変形するものであってもよい。
【００４８】
また、被覆部材は、その平面視形状が四角形以外の多角形状、或いは円形や楕円形等、どのような形状のものであっても構わない。
【００４９】
また、被覆部材側マグネットを、芯材とクロス材との間に介在させた状態で固定してもよい。さらには、この被覆部材側マグネットと作動体側マグネットとを他の部材を介して間接的に磁着させるようにしてもよい。
【００５０】
また、被覆部材を芯材のみ、又はクロス材のみから構成してもよい。
【００５１】
その他、各部の具体的構成についても上記実施形態に限られるものではなく、本発明の趣旨を逸脱しない範囲で種々変形が可能である。
【図面の簡単な説明】
【００５２】
【図１】本発明の一実施形態に係る展示ケースであり、ケース体を閉止姿勢にした状態の全体斜視図。
【図２】同実施形態に係る展示ケースの平面図を一部省略して示す図。
【図３】図２におけるＰ領域の拡大図。
【図４】図３のＸ−Ｘ線端面を模式的に示す図。
【図５】同実施形態に係る展示ケースであり、ケース体を開放姿勢にした状態を図４に対応して示す図。
【図６】作用説明図。
【図７】同実施形態に係る展示ケースであり、ケース体を開放姿勢にした状態を図４に対応して示す図。
【図８】作用説明図。
【図９】従来の展示ケースを模式的に示す図。
【符号の説明】
【００５３】
１…展示ケース
１Ｓ…展示空間
２…基台
２２、Ｘ２２…展示床面部
２２１…床材本体
２２２、Ｘ２２２…被覆部材
２２２Ａ…芯材
２２２Ｂ、Ｘ２２２Ｂ…クロス材
２２２Ｃ、Ｘ２２２Ｃ…コーナー部
２２３…被覆部材側マグネット
３…ケース体
３４…被支持体
（Ａ）…閉止姿勢
（Ｂ）…開放姿勢
４…開閉機構
４１…昇降桿
４１Ｓ…作動領域
４５…作動体側マグネット（昇降桿側マグネット）
【図１】
2008206545.tif 000003
【図２】
2008206545.tif 000004
【図３】
2008206545.tif 000005
【図４】
2008206545.tif 000006
【図５】
2008206545.tif 000007
【図６】
2008206545.tif 000008
【図７】
2008206545.tif 000009
【図８】
2008206545.tif 000010
【図９】
2008206545.tif 000011